(57)【要約】【課題】消費電力の増大を抑制しつつ、表示品位を向上させることが可能な表示装置および駆動方法を提供する。【解決手段】この表示装置は、各々が電気泳動素子を含む複数の画素を有する画素部と、画素部を画素毎に電圧駆動する駆動部とを備え、駆動部は、１フレーム期間のうちの有効表示期間において、１フレーム期間よりも短い期間単位で電圧駆動を行うように構成される。【選択図】図１
2017198877.tif 000002
【特許請求の範囲】
【請求項１】
各々が電気泳動素子を含む複数の画素を有する画素部と、
前記画素部を前記画素毎に電圧駆動する駆動部と
を備え、
前記駆動部は、１フレーム期間のうちの有効表示期間において、１フレーム期間よりも短い期間単位で前記電圧駆動を行う
ように構成された
表示装置。
【請求項２】
前記駆動部は、
各画素に接続された走査線駆動回路および信号線駆動回路を有し、
前記走査線駆動回路の出力端と各画素とを接続する複数の走査線をｎ（ｎは２以上の整数）分割してなる複数の走査線群のそれぞれにおいて線順次駆動を行う
請求項１に記載の表示装置。
【請求項３】
前記走査線駆動回路は、前記複数の走査線群のそれぞれの先頭ラインの走査線に対し、走査開始信号を供給する
請求項２に記載の表示装置。
【請求項４】
前記走査線駆動回路は、前記走査線群毎に前記走査開始信号を供給する回路を有する
請求項３に記載の表示装置。
【請求項５】
前記走査線駆動回路を複数備え、
前記複数の走査線駆動回路はそれぞれ前記走査線群に接続されている
請求項３に記載の表示装置。
【請求項６】
前記駆動部は、
複数のフレーム期間にわたって各画素に信号電圧を印加する場合に、
前記複数のフレーム期間のうちの第１のフレーム期間では、全走査線のうちの第１ラインの走査線から最終ラインの走査線までを順次駆動し、
前記複数のフレーム期間のうちの第２のフレーム期間では、前記走査線群毎の線順次駆動を行う
請求項２に記載の表示装置。
【請求項７】
前記駆動部は、１フレーム期間のうちの第１の単位期間に表示用の信号電圧を印加すると共に、前記第１の単位期間とは異なる第２の単位期間に補正用の電圧を印加して、前記画素を駆動する
請求項１に記載の表示装置。
【請求項８】
前記駆動部は、
各画素の線順次駆動を行うための走査線駆動回路および信号線駆動回路を有し、
前記走査線駆動回路は、走査信号パルスにおけるオン期間のうちの一部に相当する第１のオン期間を表示用に割り当てて前記画素を駆動する
請求項１に記載の表示装置。
【請求項９】
前記走査線駆動回路は、更に、前記オン期間のうちの前記第１のオン期間とは異なる第２のオン期間を補正用に割り当てて前記画素を駆動し、かつ
前記信号線駆動回路は、各画素に対し、前記第１のオン期間には表示用の信号電圧を印加すると共に、前記第２のオン期間には補正用の電圧を印加する
請求項８に記載の表示装置。
【請求項１０】
前記第１のオン期間は、前記オン期間のうちの前半部分に相当し、
前記第２のオン期間は、前記オン期間のうちの後半部分に相当する
請求項９に記載の表示装置。
【請求項１１】
前記駆動部は、
前記複数の画素のそれぞれを複数の走査線を用いて線順次で駆動し、
各画素に対し、１フレーム期間内に１または複数回にわたって走査信号を供給する
請求項１に記載の表示装置。
【請求項１２】
各々が電気泳動素子を含む複数の画素を、前記画素毎に電圧駆動する際に、
１フレーム期間のうちの有効表示期間において、１フレーム期間よりも短い期間単位で前記電圧駆動を行う
駆動方法。
【請求項１３】
前記複数の画素のそれぞれを複数の走査線を用いて線順次で駆動し、
前記複数の走査線をｎ（ｎは２以上の整数）分割してなる複数の走査線群のそれぞれにおいて線順次駆動を行う
請求項１２に記載の駆動方法。
【請求項１４】
前記複数の走査線群のそれぞれの先頭ラインの走査線に対し、走査開始信号を供給する
請求項１３に記載の駆動方法。
【請求項１５】
複数のフレーム期間にわたって各画素に信号電圧を印加する場合に、
前記複数のフレーム期間のうちの第１のフレーム期間では、全走査線のうちの第１ラインの走査線から最終ラインの走査線までを順次駆動し、
前記複数のフレーム期間のうちの第２のフレーム期間では、前記走査線群毎の線順次駆動を行う
請求項１２に記載の駆動方法。
【請求項１６】
１フレーム期間のうちの第１の単位期間に表示用の信号電圧を印加すると共に、前記第１の単位期間とは異なる第２の単位期間に補正用の電圧を印加して、前記画素を駆動する
請求項１２に記載の駆動方法。
【請求項１７】
前記複数の画素のそれぞれを複数の走査線を用いて線順次で駆動し、
走査信号パルスにおけるオン期間のうちの一部に相当する第１のオン期間を表示用に割り当てて前記画素を駆動する
請求項１２に記載の駆動方法。
【請求項１８】
更に、前記オン期間のうちの前記第１のオン期間とは異なる第２のオン期間を補正用に割り当てて前記画素を駆動し、かつ
各画素に対し、前記第１のオン期間には表示用の信号電圧を印加すると共に、前記第２のオン期間には補正用の電圧を印加する
請求項１７に記載の駆動方法。
【請求項１９】
前記第１のオン期間は、前記オン期間のうちの前半部分に相当し、
前記第２のオン期間は、前記オン期間のうちの後半部分に相当する
請求項１８に記載の駆動方法。
【請求項２０】
各々が電気泳動素子を含む複数の画素を有する画素部と、
前記画素部を前記画素毎に電圧駆動する駆動部と
を備え、
前記駆動部は、１フレーム期間のうちの有効表示期間において、１フレーム期間よりも短い期間単位で前記電圧駆動を行う
ように構成された
表示装置を備えた電子機器。
【発明の詳細な説明】
【技術分野】
【０００１】
本開示は、電気泳動素子を用いた表示装置およびその駆動方法、ならびにその表示装置を備えた電子機器に関する。
【背景技術】
【０００２】
近年、携帯電話機または携帯情報端末（ＰＤＡ）等のモバイル機器の普及に伴い、低消費電力で高品位画質の表示装置に関する需要が高まっている。最近では、電子書籍の配信事業の誕生に伴い、読書用途に適した表示品位の表示装置が望まれている。
【０００３】
このような表示装置としては、コレステリック液晶型，電気泳動型，電気酸化還元型またはツイストボール型等の様々なものがあるが、中でも、反射型の表示装置が有利である。反射型の表示装置では、紙と同様に、外光の反射（散乱）を利用して明表示を行うため、より紙に近い表示品位が得られるからである。
【０００４】
反射型の表示装置の中でも、電気泳動素子を用いた電気泳動型の表示装置は、低消費電力であると共に応答速度が速く、有力候補として期待されている。この電気泳動型の表示装置の駆動方式としては、ＴＦＴ（Thin Film Transistor）等を用いたアクティブマトリクス駆動方式、あるいは分割された一対の電極で表示体を挟み、電極毎に駆動を行うセグメント方式などが挙げられる。電子書籍のように、多数の細かい文字を表示する場合には、高解像度が求められることから、アクティブマトリクス駆動方式が広く用いられている。
【０００５】
このような電気泳動素子を用いた表示装置では、表示品位を向上させるために様々な駆動方法が提案されている（例えば、特許文献１〜３）。
【先行技術文献】
【特許文献】
【０００６】
【特許文献１】特開２０１３−２１８３４２号公報
【特許文献２】特表２００７−５１９０４５号公報
【特許文献３】特開２０１１−５９５２５号公報
【発明の概要】
【発明が解決しようとする課題】
【０００７】
しかしながら、上記特許文献１〜３の手法では、フレーム周波数（フレームレート）に応じた垂直期間に各画素に電圧が印加される。フレーム周波数を上げることで、極め細やかな電圧制御が可能となり表示品位を向上できるが、消費電力が増大してしまう。
【０００８】
消費電力の増大を抑制しつつ、表示品位を向上させることが可能な表示装置および駆動方法を提供することが望ましい。
【課題を解決するための手段】
【０００９】
本開示の一実施の形態の表示装置は、各々が電気泳動素子を含む複数の画素を有する画素部と、画素部を画素毎に電圧駆動する駆動部とを備え、駆動部は、１フレーム期間のうちの有効表示期間において、１フレーム期間よりも短い期間単位で電圧駆動を行うように構成されたものである。
【００１０】
本開示の一実施の形態の駆動方法は、各々が電気泳動素子を含む複数の画素を、画素毎に電圧駆動する際に、１フレーム期間のうちの有効表示期間において、１フレーム期間よりも短い期間単位で電圧駆動を行うものである。
【００１１】
本開示の一実施の形態の電子機器は、上記本開示の一実施の形態の表示装置を有するものである。
【００１２】
本開示の一実施の形態の表示装置および駆動方法ならびに電子機器では、電気泳動素子を含む各画素を電圧駆動する際に、１フレーム期間のうちの有効表示期間において、１フレーム期間よりも短い期間単位で電圧駆動を行う。フレーム周波数（フレームレート）を上げることなく、任意のタイミングおよびパルス幅で各画素に電圧を印加することが可能となる。換言すると、見かけ上、フレーム周波数が大きくなり、より極め細やかな電圧駆動を行うことができる。
【発明の効果】
【００１３】
本開示の一実施の形態の表示装置および駆動方法ならびに電子機器によれば、電気泳動素子を含む各画素を電圧駆動する際に、１フレーム期間のうちの有効表示期間において、１フレーム期間よりも短い期間単位で電圧駆動が行われる。これにより、フレーム周波数（フレームレート）を上げることなく、より極め細やかな電圧駆動を行うことができる。よって、消費電力の増大を抑制しつつ、表示品位を向上させることが可能となる。
【００１４】
尚、上記内容は本開示の一例である。本開示の効果は、上述したものに限らず、他の異なる効果であってもよいし、更に他の効果を含んでいてもよい。
【図面の簡単な説明】
【００１５】
【図１】本開示の第１の実施形態の表示装置の構成を駆動装置の構成と共に表すブロック図である。
【図２】図１に示した画素部の要部構成を表す断面図である。
【図３】図２に示した表示体の構成を表す模式図である。
【図４】図１に示した表示装置の駆動方法を説明するための断面模式図である。
【図５Ａ】図１に示した表示装置の駆動方法を説明するためのタイミング図である。
【図５Ｂ】階調表示動作の一例を説明するためのタイミング図である。
【図６】印加電圧波形に対する表示状態の遷移について説明するための模式図である。
【図７Ａ】印加電圧波形の一例を表す模式図である。
【図７Ｂ】印加電圧波形の一例を表す模式図である。
【図７Ｃ】印加電圧波形の一例を表す模式図である。
【図７Ｄ】印加電圧波形の一例を表す模式図である。
【図８Ａ】書き込み期間の最終フレームにおいて０Ｖを印加した場合の光学応答特性を表した図である。
【図８Ｂ】書き込み期間の最終フレームにおいて０Ｖを印加しない場合の光学応答特性を表した図である。
【図９】図１に示した表示装置の駆動動作（全走査線における線順次駆動動作）を説明するためのタイミング図である。
【図１０】図１に示した表示装置の駆動動作（走査線群毎の線順次駆動動作）を説明するためのタイミング図である。
【図１１】変形例１に係る表示装置の駆動動作（走査線群毎の線順次駆動動作）を説明するためのタイミング図である。
【図１２】変形例２に係る表示装置の構成を説明するための機能ブロック図である。
【図１３】本開示の第２の実施形態の表示装置の駆動動作を説明するためのタイミング図である。
【図１４】比較例に係る駆動動作を説明するためのタイミング図である。
【図１５Ａ】実施例に係る表示用の電圧の一例を表す特性図である。
【図１５Ｂ】図１５Ａに示した電圧印加による光学応答特性（時間に対する光反射率変化）を表す特性図である。
【図１６Ａ】図１５Ａに示した表示用の電圧と補正用の電圧との第１の組み合わせ例を表す特性図である。
【図１６Ｂ】図１６Ａに示した電圧印加による光学応答特性を表す特性図である。
【図１７Ａ】図１５Ａに示した表示用の電圧と補正用の電圧との第２の組み合わせ例を表す特性図である。
【図１７Ｂ】図１７Ａに示した電圧印加による光学応答特性を表す特性図である。
【図１８Ａ】適用例１に係る電子ブックの構成を表す斜視図である。
【図１８Ｂ】適用例１に係る電子ブックの他の構成を表す斜視図である。
【図１９Ａ】適用例２に係る電子時計の構成の一状態を表す斜視図である。
【図１９Ｂ】適用例２に係る電子時計の構成の他の状態を表す斜視図である。
【発明を実施するための形態】
【００１６】
以下、本開示の実施形態について、図面を参照して詳細に説明する。なお、説明する順序は、下記の通りである。
１．第１の実施の形態（全走査線を２つの走査線群に分割して駆動することで、１フレーム期間よりも短い期間単位で電圧駆動を行う表示装置の例）
２．変形例１（全走査線を４つの走査線群に分割した場合の例）
３．変形例２（走査線駆動回路を複数配置した場合の例）
４．第２の実施の形態（走査信号パルスにおけるオン期間を分割して駆動することで、１フレーム期間よりも短い期間単位で電圧駆動を行う表示装置の例）
５．実施例（電圧駆動の一例）
６．適用例（電子機器の例）
【００１７】
＜第１の実施の形態＞
［構成］
図１は、本開示の第１の実施形態の表示装置（表示装置１）の構成をその駆動装置（駆動装置２）の構成と共に表したものである。図２は、表示装置１の画素部１Ａの要部構成を表したものである。この表示装置１は、電気泳動現象を利用して画像を表示する電気泳動型の表示装置であり、いわゆる電子ペーパーディスプレイである。
【００１８】
表示装置１は、例えばＴＦＴを用いたアクティブマトリクス駆動方式によって表示駆動される複数の画素１０（画素部１Ａ）を有している。これらの複数の画素１０は、表示体１０Ａ（電気泳動素子）を含み、表示体１０Ａの光反射率を画素１０毎に変化させることで、文字や画像の表示を行うものである。画素部１Ａは、走査線駆動回路１１０および信号線駆動回路１２０に接続されている。画素部１Ａには、走査線駆動回路１１０の出力端と各画素１０とを接続すると共に行方向に沿って延在する複数の走査線ＧＬと、信号線駆動回路１２０の出力端と各画素１０とを接続すると共に列方向に沿って延在する複数の信号線ＤＬとが配置されている。これらの複数の走査線ＧＬと複数の信号線ＤＬとの各交点に、画素１０が形成されている。
【００１９】
走査線駆動回路１１０は、例えばシフトレジスタ回路と、所定の論理回路等とを含んで構成されている。この走査線駆動回路１１０は、駆動装置２から供給される制御信号に従って複数の走査線ＧＬに対して走査信号を順次（線順次で）印加することにより、画素部１Ａ（複数の画素１０）を行単位で選択する機能を有する。走査線駆動回路１１０の出力端は、走査線ＧＬを通じて、各画素１０に配置されたＴＦＴのゲート端子に接続されている。
【００２０】
本実施の形態では、この走査線駆動回路１１０が、複数の走査線群（走査線群ＧＬgrp）毎に、線順次駆動（線順次走査）を行うように構成されている。即ち、走査線駆動回路１１０は、全走査線ＧＬのうちの２以上の指定したラインの走査線ＧＬに対し、走査開始信号（ゲートスタートパルス）を印加することができる回路機能（ＩＣ：Integrated Circuit）を含んで構成されている。これにより、走査線駆動回路１１０は、複数の走査線群ＧＬgrpの各先頭ライン（例えば１番上のライン）の走査線ＧＬに対し、走査開始信号（Ｇst）を印加し、該先頭ラインよりも下のライン（上から２番目以降のライン）の走査線ＧＬを順次走査するようになっている。
【００２１】
走査線群ＧＬgrpは、走査線駆動回路１１０の出力端に接続された全走査線ＧＬを、ｎ（ｎは２以上の整数）分割して構成された、複数の走査線ＧＬを含む群である。この分割数「ｎ」は、例えば全走査線数を割り切れる数であり、１フレーム期間のうちの目標の走査期間（全走査線ＧＬを選択するのに要する期間）に応じて決定されることが望ましい。
【００２２】
一例を挙げると、図１に示したように、全走査線数（有効走査線数）が７２０本で、ｎが２の場合、７２０／２＝３６０となり、割り切ることができる。全走査線ＧＬを２分割してなる２つの走査線群ＧＬgrp１，ＧＬgrp２のそれぞれにおいて線順次駆動がなされる。具体的には、走査線群ＧＬgrp１は、例えば、第１ラインの走査線ＧＬ1から第３６０ラインの走査線ＧＬ360までの計３６０本の走査線ＧＬを含む。この走査線群ＧＬgrp１の線順次駆動では、走査線ＧＬ1が先頭ラインとされ、走査線ＧＬ360が最終ラインとされる。走査線群ＧＬgrp２は、例えば、第３６１ラインの走査線ＧＬ361から第７２０ラインの走査線ＧＬ720までの計３６０本の走査線ＧＬを含む。この走査線群ＧＬgrp２の線順次駆動では、走査線ＧＬ361が先頭ラインとされ、最終ラインの走査線ＧＬ720が最終ラインとされる。
【００２３】
この例において、フレーム周波数が５０Ｈｚである場合、全走査線を第１ラインから最終ラインまで順次走査した場合の垂直期間（電圧駆動の単位期間）は２０ｍｓとなる。本実施の形態では、詳細は後述するが、上記のような走査線群ＧＬgrp毎の線順次駆動により、フレーム周波数に対応する垂直期間、即ち１フレーム期間（５０Ｈｚの場合には２０ｍｓ）よりも短い期間単位で、電圧駆動を行うものである。例えば、フレーム周波数が５０Ｈｚで、ｎ＝２の場合には、２０／２＝１０（ｍｓ）を、電圧印加の単位期間として設定することができる。
【００２４】
信号線駆動回路１２０は、駆動装置２から供給される制御信号に従って、表示用信号に対応するアナログの信号を生成し、各信号線ＤＬに印加するものである。信号線駆動回路１２０により各信号線ＤＬに対して印加された表示用の信号（信号電圧）が、走査線駆動回路１１０により選択された画素１０に対して印加されるようになっている。この信号線駆動回路１２０は、後述する期間（Ｔｈ１，Ｔｈ２）単位での電圧駆動で用いる電圧波形パターンを、通常の表示用の電圧波形パターンとは別に生成し、保持する機能を持っていてもよい。
【００２５】
駆動装置２は、表示装置１を表示駆動するために必要な信号の生成および電源供給などを行うものである。この駆動装置２は、例えば制御部２１０と、記憶部２１１と、信号処理部２１２と、電源回路２１３とを備えている。信号処理部２１２は、例えばタイミングコントローラ２１２ａと表示用信号生成部２１２ｂとを有している。これらのタイミングコントローラ２１２ａと表示用信号生成部２１２ｂにより、走査線ＧＬ，信号線ＤＬに出力される各種信号やそれらの信号の印加タイミングを制御する信号などが生成される。なお、この駆動装置２と、走査線駆動回路１１０および信号線駆動回路１２０とが、本開示の「駆動部」の一具体例に相当する。
【００２６】
（表示装置１の詳細構成例）
図３は、表示体１０Ａの構成を模式的に表したものである。画素部１Ａでは、例えば、第１基板１１上に、ＴＦＴ層１２を介して複数の第１電極（画素電極）１３が設けられている。これらのＴＦＴ層１２および第１電極１３を覆うように、封止層１４が形成されており、この封止層（接着層）１４の上に表示体１０Ａが設けられている。表示体１０Ａ上には、第２電極（対向電極）１９および第２基板２０がこの順に配置されている。表示体１０Ａは、第１電極１３と第２電極１９とを通じて印加された電圧に応じて光反射率が変化する（コントラストを生じさせる）ように構成されている。一例としては、表示体１０Ａは、絶縁性液体１５中に多孔質層１６と泳動粒子１７とを含むものである。この表示体１０Ａは、隔壁１８によって画素１０毎に分離されている。尚、ここでは、表示体１０Ａが隔壁１８によって区切られた構成となっているが、電気泳動素子の構成はこれに限定されず、他の構成（例えば、カプセル状のものや隔壁無しのもの）であってもよい。
【００２７】
第１基板１１は、例えば無機材料、金属材料またはプラスチック材料などにより構成されている。無機材料としては、例えば、ケイ素（Ｓｉ）、酸化ケイ素（ＳｉＯX）、窒化ケイ素（ＳｉＮX）または酸化アルミニウム（ＡｌＯX）などが挙げられる。酸化ケイ素には、例えばガラスまたはスピンオングラス（ＳＯＧ）などが含まれる。金属材料としては、例えばアルミニウム（Ａｌ）、ニッケル（Ｎｉ）またはステンレスなどが挙げられる。プラスチック材料としては、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）などが挙げられる。
【００２８】
ＴＦＴ層１２は、画素を選択するためのスイッチング素子（ＴＦＴ素子）が形成された層である。ＴＦＴ素子は、例えば、チャネル層としてアモルファスシリコン、ポリシリコンまたは酸化物などの無機半導体を用いた無機ＴＦＴでもよいし、ペンタセンなどの有機半導体を用いた有機ＴＦＴでもよい。また、ＴＦＴ素子の種類は特に限定されず、例えば逆スタガー構造（いわゆるボトムゲート型）であってもよいし、スタガー構造（いわゆるトップゲート型）であってもよい。また、ｎ型であってもよいし、ｐ型であってもよい。ＴＦＴ素子は、画素１０毎に配置され、それぞれが第１電極１３に電気的に接続されている。本明細書では、このＴＦＴ素子が、ｎ型である場合を想定しているが、ｐ型である場合には、走査信号パルスの波形は正負が反転したものとされる。
【００２９】
第１電極１３は、例えば、金（Ａｕ）、銀（Ａｇ）または銅（Ｃｕ）などの導電性材料のうち少なくとも１種を含んでいる。この第１電極１３は、画素部１Ａにおいて、マトリクス状に複数配置されている。
【００３０】
封止層１４は、粘着性をもつ樹脂材料から構成されている。
【００３１】
絶縁性液体１５は、例えば有機溶媒などの非水溶媒であり、具体的には、パラフィンまたはイソパラフィンなどである。この絶縁性液体１５の粘度および屈折率は、できるだけ低いことが好ましい。泳動粒子１７の移動性（応答速度）が向上すると共に、それに応じて泳動粒子１７の移動に要するエネルギー（消費電力）が低くなるからである。また、絶縁性液体１５の屈折率と多孔質層１６の屈折率との差が大きくなるため、その多孔質層１６の光反射率が高くなるからである。
【００３２】
なお、絶縁性液体１５は、必要に応じて、各種材料を含んでいてもよい。例えば、絶縁性液体１５は、着色剤、電荷制御剤、分散安定剤、粘度調製剤、界面活性剤または樹脂などを含んでいてもよい。
【００３３】
泳動粒子１７は、第１電極１３と第２電極１９との間を移動可能な１または２以上の荷電粒子であり、絶縁性液体１５中に分散されている。この泳動粒子１７は、絶縁性液体１５中で第１電極１３と第２電極１９との間を移動可能になっている。泳動粒子１７は、例えば、有機顔料、無機顔料、染料、炭素材料、金属材料、金属酸化物、ガラスまたは高分子材料（樹脂）などのいずれか１種類または２種類以上の粒子（粉末）である。なお、泳動粒子１７は、上記した粒子を含む樹脂固形分の粉砕粒子またはカプセル粒子などでもよい。ただし、炭素材料、金属材料、金属酸化物、ガラスまたは高分子材料に該当する材料は、有機顔料、無機顔料または染料に該当する材料から除かれることとする。この泳動粒子１７としては、上記の中のいずれか１種類が用いられてもよいし、複数種類のものが用いられてもよい。
【００３４】
絶縁性液体１５中における泳動粒子１７の含有量（濃度）は、特に限定されないが、例えば、０．１重量％〜１０重量％である。泳動粒子１７の遮蔽（隠蔽）性および移動性が確保されるからである。この場合には、０．１重量％よりも少ないと、泳動粒子１７が多孔質層１６を遮蔽しにくくなる可能性がある。一方、１０重量％よりも多いと、泳動粒子１７の分散性が低下するため、その泳動粒子１７が泳動しにくくなり、場合によっては凝集する可能性がある。
【００３５】
この泳動粒子１７は、また、任意の光反射特性（光反射率）を有している。泳動粒子１７の光反射率は、特に限定されないが、少なくとも泳動粒子１７が多孔質層１６を遮蔽可能となるように設定されることが好ましい。泳動粒子１７の光反射率と多孔質層１６の光反射率との違いを利用してコントラストを生じさせるためである。
【００３６】
泳動粒子１７の具体的な形成材料は、例えば、コントラストを生じさせるために泳動粒子１７が担う役割に応じて選択される。例えば、泳動粒子１７により明表示（白表示）される場合の材料は、例えば、酸化チタン、酸化亜鉛、酸化ジルコニウム、チタン酸バリウムまたはチタン酸カリウムなどの金属酸化物であり、中でも、酸化チタンが好ましい。電気化学的安定性および分散性などに優れていると共に、高い反射率が得られるからである。一方、泳動粒子１７により暗表示（黒表示）される場合の材料は、例えば、炭素材料または金属酸化物などである。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。中でも、炭素材料が好ましい。優れた化学的安定性、移動性および光吸収性が得られるからである。
【００３７】
泳動粒子１７により明表示される場合、外部から視認される泳動粒子１７の色は、コントラストを生じさせることができれば特に限定されないが、例えば白色または白色に近い色であることが望ましい。一方、泳動粒子１７により暗表示される場合、外部から視認される泳動粒子１７の色は、コントラストを生じさせることができれば特に限定されないが、黒色または黒色に近い色であることが望ましい。いずれの場合でも、コントラストが高くなるからである。白または黒以外の色表示を目的とする場合には、泳動粒子１７は、目的とする色に着色されていてもよい。
【００３８】
なお、泳動粒子１７は、絶縁性液体１５中で長期間に渡って分散および帯電しやすいと共に多孔質層１６に吸着しにくいことが好ましい。このため、静電反発により泳動粒子１７を分散させるために分散剤（または電荷調整剤）を用いたり、泳動粒子１７に表面処理を施してもよく、両者を併用してもよい。
【００３９】
多孔質層１６は、例えば、図３に示したように、繊維状構造体１６Ａにより形成された３次元立体構造物（不織布のような不規則なネットワーク構造物）である。この多孔質層１６は、繊維状構造体１６Ａが存在していない箇所に、泳動粒子１７が通過するための複数の隙間（細孔Ｈ）を有している。
【００４０】
繊維状構造体１６Ａには、１または２以上の非泳動粒子１６Ｂが含まれており、その非泳動粒子１６Ｂは、繊維状構造体１６Ａにより保持されている。３次元立体構造物である多孔質層１６では、１本の繊維状構造体１６Ａがランダムに絡み合っていてもよいし、複数本の繊維状構造体１６Ａが集合してランダムに重なっていてもよいし、両者が混在していてもよい。繊維状構造体１６Ａが複数本である場合、各繊維状構造体１６Ａは、１または２以上の非泳動粒子１６Ｂを保持していることが好ましい。なお、図３では、複数本の繊維状構造体１６Ａにより多孔質層１６が形成されている場合を示している。
【００４１】
多孔質層１６が３次元立体構造物であるのは、その不規則な立体構造により外光が乱反射（多重散乱）されやすいため、多孔質層１６の光反射率が高くなると共に、その高い光反射率を得るために多孔質層１６が薄くて済むからである。これにより、コントラストが高くなると共に、泳動粒子１７を移動させるために必要なエネルギーが低くなる。また、細孔Ｈの平均孔径が大きくなると共にその数が多くなるため、泳動粒子１７が細孔Ｈを通過しやすくなるからである。これにより、泳動粒子１７の移動に要する時間が短くなると共に、その泳動粒子１７の移動に要するエネルギーも低くなる。
【００４２】
繊維状構造体１６Ａに非泳動粒子１６Ｂが含まれているのは、外光がより乱反射しやすくなるため、多孔質層１６の光反射率がより高くなるからである。これにより、コントラストがより高くなる。
【００４３】
繊維状構造体１６Ａは、繊維径（直径）に対して長さが十分に大きい繊維状物質である。この繊維状構造体１６Ａは、例えば、高分子材料または無機材料などのいずれか１種類または２種類以上を含んでおり、他の材料を含んでいてもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体１６Ａの形成材料としては、高分子材料が好ましい。反応性（光反応性など）が低い（化学的に安定である）ため、繊維状構造体１６Ａの意図しない分解反応が抑制されるからである。なお、繊維状構造体１６Ａが高反応性の材料により形成されている場合には、その繊維状構造体１６Ａの表面は任意の保護層により被覆されていることが好ましい。
【００４４】
繊維状構造体１６Ａの形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体１６Ａの形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。
【００４５】
繊維状構造体１６Ａの平均繊維径は、特に限定されないが、できるだけ小さいことが好ましい。光が乱反射しやすくなると共に、細孔Ｈの平均孔径が大きくなるからである。ただし、平均繊維径は、繊維状構造体１６Ａが非泳動粒子１６Ｂを保持できるように決定されるとよい。このため、繊維状構造体１６Ａの平均繊維径は、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）などを用いた顕微鏡観察により測定される。なお、繊維状構造体１６Ａの平均長さは、任意でよい。
【００４６】
細孔Ｈの平均孔径は、特に限定されないが、できるだけ大きいことが好ましい。泳動粒子１７が細孔Ｈを通過しやすくなるからである。このため、細孔Ｈの平均孔径は、０．１μｍ〜１０μｍであることが好ましい。
【００４７】
多孔質層１６の厚さは、特に限定されないが、例えば、５μｍ〜１００μｍである。多孔質層１６の遮蔽性が高くなると共に、泳動粒子１７が細孔Ｈを通過しやすくなるからである。
【００４８】
特に、繊維状構造体１６Ａは、ナノファイバーであることが好ましい。立体構造が複雑化して外光が乱反射しやすくなるため、多孔質層１６の光反射率がより高くなると共に、多孔質層１６の単位体積中に占める細孔Ｈの体積の割合が大きくなるため、泳動粒子１７が細孔Ｈを通過しやすくなるからである。これにより、コントラストがより高くなると共に、泳動粒子１７の移動に要するエネルギーがより低くなる。ナノファイバーとは、繊維径が０．００１μｍ〜０．１μｍであると共に長さが繊維径の１００倍以上である繊維状物質である。ナノファイバーである繊維状構造体１６Ａは、高分子材料を用いて静電紡糸法により形成されていることが好ましい。繊維径が小さい繊維状構造体１６Ａを容易かつ安定に形成しやすいからである。
【００４９】
この繊維状構造体１６Ａは、泳動粒子１７とは異なる光学的反射特性を有していることが好ましい。具体的には、繊維状構造体１６Ａの光反射率は、特に限定されないが、少なくとも多孔質層１６が全体として泳動粒子１７を遮蔽可能となるように設定されることが好ましい。上記したように、泳動粒子１７の光反射率と多孔質層１６の光反射率との違いを利用してコントラストを生じさせるためである。
【００５０】
非泳動粒子１６Ｂは、繊維状構造体１６Ａに固定されており、電気的に泳動しない粒子である。この非泳動粒子１６Ｂの形成材料は、例えば、泳動粒子１７の形成材料と同様であり、後述するように、非泳動粒子１６Ｂが担う役割に応じて選択される。この非泳動粒子１６Ｂは、泳動粒子１７とは異なる光学的反射特性を有している。非泳動粒子１６Ｂの光反射率は、特に限定されないが、少なくとも多孔質層１６が全体として泳動粒子１７を遮蔽可能となるように設定されることが好ましい。上記したように、泳動粒子１７の光反射率と多孔質層１６の光反射率との違いを利用してコントラストを生じさせるためである。
【００５１】
ここで、非泳動粒子１６Ｂの具体的な形成材料は、例えば、コントラストを生じさせるために非泳動粒子１６Ｂが担う役割に応じて選択される。具体的には、非泳動粒子１６Ｂにより明表示される場合の材料は、明表示される場合に選択される泳動粒子１７の材料と同様である。一方、非泳動粒子１６Ｂにより暗表示される場合の材料は、暗表示される場合に選択される泳動粒子１７の材料と同様である。中でも、非泳動粒子１６Ｂにより明表示される場合に選択される材料としては、金属酸化物が好ましく、酸化チタンがより好ましい。電気化学的安定性および定着性などに優れていると共に、高い反射率が得られるからである。コントラストを生じさせることができれば、非泳動粒子１６Ｂの形成材料は、泳動粒子１７の形成材料と同じ種類でもよいし、違う種類でもよい。
【００５２】
なお、非泳動粒子１６Ｂにより明表示または暗表示される場合に視認される色は、泳動粒子１７が視認される色について説明した場合と同様である。
【００５３】
多孔質層１６の形成手順の一例は、以下の通りである。最初に、有機溶剤などに繊維状構造体１６Ａの形成材料（例えば高分子材料など）を分散または溶解させて、紡糸溶液を調製する。続いて、紡糸溶液に非泳動粒子１６Ｂを加えたのち、十分に攪拌して非泳動粒子１６Ｂを紡糸溶液中に分散させる。最後に、紡糸溶液を用いた静電紡糸法により紡糸を行う。これにより、繊維状構造体１６Ａにより非泳動粒子１６Ｂが保持され、多孔質層１６が形成される。
【００５４】
第２電極１９は、例えば透明導電膜により構成されている。透明導電膜としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などが挙げられる。ここでは、第２電極１９は、例えば、全画素１０に共通の電極として、第２基板２０の一面に形成されているが、第１電極１３と同様に分割されていてもよい（複数、形成されていてもよい）。
【００５５】
第２基板２０は、第１基板１１と同様の材料により構成されている。但し、第２基板２０の上面に画像が表示されることから、第２基板２０には、光透過性を有する材料が用いられる。この第２基板２０の一面に接して、もしくは第２基板２０よりも上の層に、図示しないカラーフィルタが設けられていてもよい。
【００５６】
［駆動方法］
本実施の形態の表示装置１では、駆動装置２、走査線駆動回路１１０および信号線駆動回路１２０が、画素部１Ａを画素１０毎に電圧駆動することにより、上記のように、例えば泳動粒子１７の光反射率と多孔質層１６の光反射率との違いを利用してコントラストを生じさせ、白表示、黒表示または階調表示を行うことができる。具体的には、画素１０毎に第１電極１３と第２電極１９との間に電圧が印加されることで、この印加電圧の大きさ、極性および印加時間等に応じて泳動粒子１７が、第１電極１３と第２電極１９との間を移動する。これにより、例えば泳動粒子１７の光反射特性と多孔質層１６の光反射特性とのうちのいずれか、または両方を発揮して、画素１０毎の光反射率を変化させることができる。
【００５７】
図４に、表示装置１（画素部１Ａ）の表示動作の一例について模式的に示す。このように、例えば第２電極１９に固定電位（例えば０Ｖ）が印加され、各第１電極１３には、正極性の電位（例えば＋１５Ｖ）、負極性の電位（例えば−１５Ｖ）または０Ｖが印加された場合を例に挙げる。これにより、表示体１０Ａには、画素１０毎に、第１電極１３および第２電極１９間に電位差が生じ、正極性，負極性または０Ｖの電圧が印加される。この結果、正または負（ここでは例えば負）に帯電した泳動粒子１７が、第１電極１３側または第２電極１９側へ移動する。
【００５８】
この例では、第１電極１３に＋１５Ｖが印加された画素１０では、泳動粒子１７が第１電極１３側へ移動することにより、泳動粒子１７が多孔質層１６によって遮蔽される。即ち、多孔質層１６の光反射率が支配的となり、多孔質層１６の光反射率に対応した表示状態（例えば、白表示状態）となる。一方で、第１電極１３に−１５Ｖが印加された画素１０では、泳動粒子１７が第２電極１９側へ移動することにより、泳動粒子１７が多孔質層１６から露出する。即ち、泳動粒子１７の光反射率が支配的となり、泳動粒子１７の光反射率に対応した表示状態（例えば、黒表示状態）となる。なお、０Ｖの印加理由については後述する。
【００５９】
但し、電気泳動型の表示装置１では、白表示から黒表示、または黒表示から白表示へ移行する際に、表示体１０Ａの光学応答特性に応じて、時系列で光反射率が変化する性質を持つ。この表示体１０Ａの光学応答特性に応じた光反射率の変化を考慮した電圧駆動を行うことが望ましい。一般には、所望の表示状態（階調）への切り替えは、１フレーム期間において行われるのではなく、複数のフレーム期間（例えば数フレームから数１０フレームに相当する期間）にわたって行われる。即ち、複数のフレーム期間が１枚の画面を表示する（または別の画面に書き換える）ための単位期間（以下、「書き込み期間」と称する）とされる。１つの書き込み期間の終了時において、所望の表示状態となるような印加電圧の波形パターン（Waveform）が予め設定される。この書き込み期間中には、所定のタイミングで０Ｖを印加することも有効である。以下に、この駆動動作の一例として、黒表示から白表示へ移行する（切り替える）場合の駆動動作について説明する。
【００６０】
（基本的な表示駆動：フレーム期間単位で電圧駆動）
まず、図４，図５Ａおよび図５Ｂを参照して、表示装置１の基本的な表示駆動について説明する。なお、図５Ａにおいて、Ｓｉｇ（ｋ）は、第ｋライン（ｋは整数）の信号線ＤＬに印加される電圧波形（映像信号パルス）を、Ｇ（１），Ｇ（２），…Ｇ（ｍ）（ｍは整数）は、第１ラインから第ｍラインの走査線ＧＬに印加される電圧波形（走査信号パルス）を、それぞれ示している。この例では、１つのフレーム期間（フレーム周波数に対応する垂直期間）Ｖが、有効表示期間ＶACと垂直ブランキング期間ＶBLとを含む。フレーム周波数は、特に限定されないが、例えば４０〜１００Ｈｚであり、このフレーム周波数に対応する１フレーム期間Ｖは、例えば１０〜２５ｍｓ（ミリ秒）である。ここで、１フレーム期間Ｖは、１つの走査線ＧＬに印加される走査信号パルスにおけるオン期間の間隔に相当し、フレームまたは垂直周期とも呼ばれる。また、垂直ブランキング期間ＶBLは、例えば０．１〜４ｍｓ程度に設定される。有効表示期間ＶACは、１フレーム期間Ｖのうちの垂直ブランキング期間ＶBL以外の期間に相当する。
【００６１】
このように、例えば１２フレームからなる書き込み期間Ｔｗのうちの１つのフレーム（ここではＮｏ．９フレーム）に対応する１フレーム期間Ｖにおいて、信号線ＤＬに電位Ｖsigが印加される一方で、各走査線ＧＬには線順次でオン電位が印加される。これにより、選択された画素１０では、ＴＦＴ素子を介して、電位Ｖsigに応じた電圧が表示体１０Ａに印加される。詳細には、例えば第ｍラインの走査線ＧＬにオン電位が印加されることで、ｍライン目の画素１０のＴＦＴ素子がオン状態となり、その時の信号線ＤＬの電位Ｖsigが選択され、第１電極１３に印加される。これにより、表示体１０Ａには、第１電極１３および第２電極１９間の電位差に応じた電圧が印加される。この印加電圧は、ＴＦＴ素子がオフ状態となった後も、画素１０内に形成された容量素子（図示せず）によって保持される。このような動作が画素１０毎に行われ、容量素子により保持された電圧（第１電極１３と第２電極１９との間の電位差に相当）によって、電気泳動素子が画素１０毎に駆動される。各画素１０では、その印加電圧に応じて泳動粒子１７が電極間を移動し、これにより光反射率が変化する。このような電圧駆動が複数フレームにわたって連続して行われる。
【００６２】
図５Ｂに、一例として、表示体１０Ａに印加される電圧波形Ｓ１１，Ｓ１２とそれに応じた光学応答波形（光反射率の時間的変化）Ｌ１１，Ｌ１２について模式的に示す。例えば、電圧波形Ｓ１１のように、フレーム１〜４において連続的に正極性の電圧を印加したのち、フレーム５〜１２において連続的に負極性の電圧を印加する駆動を行った場合、表示体１０Ａの光学応答特性は、例えば波形Ｌ１１を示す。即ち、フレーム１の開始時点からフレーム４の終了時点にかけて、光反射率が徐々に上昇し、黒表示状態から白表示状態へ移行する。また、フレーム５の開始時点からフレーム１２の終了時点にかけて、光反射率が徐々に減少し、白表示状態から黒表示状態へ移行する。
【００６３】
他方、電圧波形Ｓ１２のように、小刻みに印加電圧を変化させてもよい。例えば、フレーム（ｎ−６），（ｎ−５）において連続的に正極性の電圧を印加したのち、フレーム（ｎ−４），（ｎ−３）において０Ｖを印加する。その後、フレーム（ｎ−２），（ｎ−１）においてに連続的に負極性の電圧を印加し、最後のフレーム（ｎ）において再び０Ｖを印加する。このような駆動を行った場合、表示体１０Ａの光学応答特性は、例えば波形Ｌ１２を示す。即ち、フレーム（ｎ−６）の開始時点からフレーム（ｎ−５）の終了時点にかけて、光反射率が徐々に上昇し、例えば階調表示状態から白表示状態へ移行する。また、フレーム（ｎ−４）の開始時点からフレーム（ｎ−３）の終了時点までは、直前フレームの表示状態（白表示状態）が維持される。その後、フレーム（ｎ−２）の開始時点からフレーム（ｎ−１）の終了時点にかけて、光反射率が徐々に減少し、白表示状態から階調表示状態へ移行する。フレーム（ｎ）では、その直前のフレームの表示状態（階調表示状態）が維持される。
【００６４】
図６に、上記のような電圧印加に対するフレームの階調変化のイメージを示す。このように、電圧波形Ｓ１３として、例えばフレーム１〜９に相当する期間Ｔ１００に正極性の電圧を連続して印加したのち、フレーム１０，１１に相当する期間Ｔ１０１に負極性の電圧を連続して印加し、続いてフレーム１２に相当する期間Ｔ１０２に０Ｖを、フレーム１３に相当する期間Ｔ１０３に負極性の電圧をそれぞれ印加する。この場合、フレーム１〜１３に模式的に示したような階調変化を生じる。このように、フレーム単位でのパルス幅変調（ＰＭＷ：Pulse Width Modulation）方式により、階調表示が可能である。
【００６５】
上記のように、表示体１０Ａ（電気泳動素子）を含む画素部１Ａにおける画像表示または画像切り替えの際には、書き込み期間毎に、正極性電圧、負極性電圧および０Ｖなどを組み合わせた電圧波形を、表示体１０Ａの光学応答特性に応じて設定する。ここで説明した例では、正極性の電圧印加により、白表示状態に向かって表示を切り替え、負極性の電圧印加により、黒表示状態に向かって表示を切り替えることができる。
【００６６】
これらの正極性電圧および負極性電圧に加え、更に０Ｖの印加を組み合わせることで、より極め細やかな階調表示を実現できる。図７Ａ〜図７Ｄに、一例として、黒表示状態から、白表示状態または低階調状態への切り替えの際の電圧波形を示す。図７Ａの例では、１書き込み期間Ｔｗの全フレーム（例えば５００ｍｓ）において正極性電圧を印加している。このような電圧印加により、極限の黒表示状態（全黒表示状態）から極限の白表示状態（全白表示状態）へ切り替えることができる。図７Ｂの例では、１書き込み期間Ｔｗのうちの前半の期間Ｔｗ１において正極性電圧を印加し、その後の期間Ｔｗ２では０Ｖを印加している（例えば、Ｔｗ１＜Ｔｗ２）。図７Ｃの例では、１書き込み期間Ｔｗのうちの間欠的なフレームにおいて正極性電圧を印加し、その他のフレームでは０Ｖを印加している（正極性電圧と０Ｖとを交互に繰り返し印加している）。図７Ｄの例では、１書き込み期間Ｔｗのうちの前半の期間Ｔｗ３において正極性電圧を印加し、その後の期間Ｔｗ４において負極性電圧を印加している（例えば、Ｔｗ３＞Ｔｗ４）。これらの図７Ｂないし図７Ｄに示した例では、いずれも、全黒表示状態から低階調状態へ切り替えることができる。このように、階調表示のための印加電圧波形のパターンは複数あり、例示したものに限定されるものではない。
【００６７】
また、書き込み期間の最終フレームに０Ｖを印加することにより、以下のようなメリットがある。図８Ａに、書き込み期間Ｔｗの最終フレームｆENに０Ｖを印加する場合の電圧波形Ｓｉｇ（ｋ），Ｇ（ｍ）と、その印加電圧に対する表示体１０Ａの光学応答特性の波形Ｌ２１とを示す。また、図８Ｂには、比較例として、書き込み期間Ｔｗの最終フレームｆENに０Ｖを印加しない場合の電圧波形Ｓｉｇ（ｋ），Ｇ（ｍ）と、その印加電圧に対する表示体１０Ａの光学応答特性の波形Ｌ２２とを示す。なお、図８Ａおよび図８Ｂにおいて、画素１０の容量素子（Ｃｓ）に保持された電圧チャージ分を斜線で示す。図８Ｂに示した比較例では、最終フレームｆENにおいて、その直前のフレームで印加された電圧が容量素子Ｃｓに残る。このため、表示体１０Ａには電圧が印加され続けることとなり、光反射率が上昇し続ける。このため、所望の光反射率を得にくい。これに対し、図８Ａに示したように、最終フレームｆENに０Ｖを印加した場合、最終フレームｆENでは、容量素子Ｃｓがディスチャージされ、その直前のフレーム終了時点での光反射率が維持される。このため、所望の光反射率を得易い。つまり、印加電圧×時間による階調制御が容易となる。このように、ＴＦＴ素子を用いた電圧駆動では、書き込み期間Ｔｗの最終フレームにおいて０Ｖを印加することが望ましい。
【００６８】
ここで、上述したようなフレーム単位の駆動では、１フレーム期間Ｖに相当する垂直期間が各画素１０への電圧印加期間となっている。例えば、５０Ｈｚのフレーム周波数で駆動する場合、走査信号パルスにおけるパルス幅（オン期間の幅）は２０ｍｓの単位で変更することとなる。このため、使用可能なパルス幅は、２０ｍｓ，４０ｍｓ，６０ｍｓ，…となり、２０ｍｓ以上となる。このため、例えば正電圧と負電圧を１フレーム毎に交互に繰り返す様な駆動を行った場合に、電気泳動素子は明暗表示を交互に繰り返す挙動を示す。１フレーム期間は数十ｍｓの時間に相当するため、視覚的にはちらつき（フリッカ）として認識され、表示品位を損なうことがある。あるいは、フレーム周波数を大きくする（フレームレートを高くする）ことで、１フレーム期間Ｖを短縮することが可能であるが、フレーム周波数を大きくする設計変更は、例えば表示用信号生成部２１２ｂおよび走査線駆動回路１１０に用いられる論理回路においてクロック周波数の変更を伴う。これは、消費電力の増大につながる。
【００６９】
そこで、本実施の形態では、走査線駆動回路１１０が、複数の走査線群（走査線群ＧＬgrp）毎に、線順次駆動（線順次走査）を行う機能を有する。具体的には、走査線駆動回路１１０は、全走査線ＧＬをｎ分割してなる複数の走査線群ＧＬgrpのそれぞれの先頭ライン（１番上のライン）の走査線ＧＬに対し、走査開始信号Ｇstを印加し、該先頭ライン以下のラインの走査線ＧＬを順次走査するようになっている。
【００７０】
（全走査線ＧＬの線順次駆動）
まず、図１および図９を参照して、通常の全走査線ＧＬにおける線順次駆動動作について説明する。この駆動は、上述のフレーム単位での電圧駆動（「第１のフレーム期間」における線順次駆動）に相当するものである。この例では、全走査線数（有効走査線数）を７２０本、分割数ｎを２としている。全走査線ＧＬを２分割してなる２つの走査線群ＧＬgrp１，ＧＬgrp２のそれぞれにおいて線順次駆動がなされる。図９において、Ｓｉｇ（ｋ）は、第ｋライン（第ｋ列）（ｋは整数）の信号線ＤＬに印加される電圧波形（映像信号パルス）を、Ｇ（１），Ｇ（２），…，Ｇ（７２０）は、第１ラインから第７２０ラインの走査線ＧＬに印加される電圧波形（走査信号パルス）を、それぞれ示している。また、Ｐｉｘ（１），Ｐｉｘ（２），…，Ｐｉｘ（７２０）は、第ｋラインの信号線ＤＬと、第１ラインから第７２０ラインの走査線ＧＬとの各交点に配置された画素１０に保持される電圧を表している。簡便化のため、１フレーム期間Ｖとして、上述の有効表示期間ＶACに相当する期間のみを示している。
【００７１】
具体的には、走査線駆動回路１１０は、時間ｔ１１において、走査線群ＧＬgrp１のうちの先頭ラインである第１ラインの走査線ＧＬ1に対し、走査開始信号Ｇst１を印加する。これにより、同刻の時間ｔ１１において、第１ラインの走査線ＧＬ1には、オン電位が印加される。この走査開始信号Ｇst１の印加後は、第２ライン以降（第２ラインから第３６０ライン）の走査線ＧＬに対して、順次オン電位が印加される。
【００７２】
続いて、走査線駆動回路１１０は、第３６０ラインの走査線ＧＬ360にオン電位を印加した直後の時間ｔ１２において、走査線群ＧＬgrp２のうちの先頭ラインである第３６１ラインの走査線ＧＬ361に対し、走査開始信号Ｇst３６１を印加する。これにより、同刻の時間ｔ１２において、第３６１ラインの走査線ＧＬ361には、オン電位が印加される。この走査開始信号Ｇst３６１の印加後は、第３６２ライン以降（第３６２ラインから第７２０ライン）の走査線ＧＬに対して、順次オン電位が印加される。
【００７３】
一方、信号線駆動回路１２０は、第ｋラインの信号線ＤＬに対し、全ての走査線ＧＬの走査が終了するまでの期間（時間ｔ１１から時間ｔ１３までの期間：期間Ｔｈ）、一定の信号電位を印加する。これにより、１フレーム期間Ｖに相当する期間Ｔｈにおいて、各画素１０に信号電位が印加され、この印加電圧が保持される。フレーム周波数が５０Ｈｚである場合、この期間Ｔｈは２０ｍｓである。つまり、この例では、１フレーム期間Ｖ（期間Ｔｈ）が、電圧駆動の単位期間となっている。
【００７４】
（走査線群毎の線順次駆動）
次に、図１および図１０を参照して、走査線群ＧＬgrp毎の線順次駆動動作について説明する。この駆動は、例えば上述のフレーム単位での電圧駆動に替えて行われてもよいし、上述のフレーム単位での駆動と併用して行われてもよい。図１０では、一部のフレーム期間Ｖ（第２のフレーム期間）において、走査線群ＧＬgrp毎の線順次駆動が行われる例を示している。この例においても、全走査線数（有効走査線数）を７２０本、分割数ｎを２としている。また、Ｓｉｇ（ｋ）は、第ｋライン（第ｋ列）の信号線ＤＬに印加される電圧波形（映像信号パルス）を、Ｇ（１），Ｇ（２），…，Ｇ（７２０）は、第１ラインから第７２０ラインの走査線ＧＬに印加される電圧波形（走査信号パルス）を、それぞれ示している。また、Ｐｉｘ（１），Ｐｉｘ（２），…，Ｐｉｘ（７２０）は、第ｋラインの信号線ＤＬと、第１ラインから第７２０ラインの走査線ＧＬとの各交点に配置された画素１０に保持される電圧を表している。簡便化のため、１フレーム期間Ｖとしては、上述の有効表示期間ＶACのみを示している。
【００７５】
具体的には、走査線駆動回路１１０は、任意の時間ｔ２１において、走査線群ＧＬgrp１のうちの先頭ラインである第１ラインの走査線ＧＬ1に対し、走査開始信号Ｇst１を印加する。これにより、同刻の時間ｔ１１において、第１ラインの走査線ＧＬ1には、オン電位が印加される。この走査開始信号Ｇst１の印加後は、第２ライン以降（第２ラインから第３６０ライン）の走査線ＧＬに対して、順次オン電位が印加される。
【００７６】
このとき、走査線駆動回路１１０は、第１ラインの走査線ＧＬ1への走査開始信号Ｇst１の印加タイミングに同期して（時間ｔ２１において）、走査線群ＧＬgrp２のうちの先頭ラインである第３６１ラインの走査線ＧＬ361に対し、走査開始信号Ｇst３６１を印加する。これにより、同刻の時間ｔ２１において、第３６１ラインの走査線ＧＬ361には、オン電位が印加される。この走査開始信号Ｇst３６１の印加後は、第３６２ライン以降（第３６２ラインから第７２０ライン）の走査線ＧＬに対して、順次オン電位が印加される。
【００７７】
上記駆動により、走査線群ＧＬgrp１では、第１ラインから第３６０ラインまでの計３６０ライン分の走査線ＧＬが順次走査され、時間ｔ２２に終了する。また、走査線群ＧＬgrp２では、第３６１ラインから第７２０ラインまでの計３６０ライン分の走査線ＧＬが順次走査され、時間ｔ２２に終了する。つまり、走査線群ＧＬgrp毎の線順次駆動により、全走査線ＧＬを走査するために要する期間は、１フレーム期間Ｖ（期間Ｔｈ）の半分（前半部分）の期間（Ｔｈ１）となる。
【００７８】
この期間Ｔｈ１（第１の単位期間）では、信号線駆動回路１２０は、例えば、信号線ＤＬに対して表示用の信号電圧Ｖsigを印加する。
【００７９】
この後（時間ｔ２２において）、走査線駆動回路１１０は、上記と同様にして、走査線群ＧＬgrp１の第１ラインの走査線ＧＬ1に対し、走査開始信号Ｇst１を印加する。これにより、第１ラインから第３６０ラインの走査線ＧＬに対して、順次オン電位が印加される。また、この時間ｔ２２には、走査線駆動回路１１０は、走査線群ＧＬgrp２の第３６１ラインの走査線ＧＬ361に対し、走査開始信号Ｇst３６１を印加する。これにより、第３６１ラインから第７２０ラインの走査線ＧＬに対して、順次オン電位が印加される。
【００８０】
上記駆動により、走査線群ＧＬgrp１では、第１ラインから第３６０ラインまでの計３６０ライン分の走査線ＧＬが順次走査され、時間ｔ２３に終了する。また、走査線群ＧＬgrp２では、第３６１ラインから第７２０ラインまでの計３６０ライン分の走査線ＧＬが順次走査され、時間ｔ２３に終了する。このように、走査線群ＧＬgrp毎の線順次駆動により、１フレーム期間Ｖ（期間Ｔｈ）の後半部分の期間（Ｔｈ２）においても電圧を印加することが可能となる。
【００８１】
この期間Ｔｈ２（第２の単位期間）では、信号線駆動回路１２０は、信号線ＤＬに対して表示用とは異なる電圧（例えば、後述の補正用の電圧Ｖcrt）を印加することができる。
【００８２】
このように、１フレーム期間Ｖ（期間Ｔｈ）よりも短い期間（期間Ｔｈ１，Ｔｈ２）単位で、各画素１０に電圧を印加することが可能となる。フレーム周波数が５０Ｈｚである場合、期間Ｔｈ１，Ｔｈ２は２０／２＝１０ｍｓである。つまり、この例では、フレーム周波数を上げる（フレームレートを高める）ことなく、１フレーム期間Ｖよりも短い期間単位で、電圧駆動が可能となる。また、１フレーム期間Ｖには、各走査線ＧＬに対し、走査信号（走査信号パルス）を１回または複数回（ここでは２回）印加することができる。
【００８３】
［効果］
以上のように本実施の形態では、電気泳動素子を含む各画素１０を電圧駆動する際に、１フレーム期間Ｖのうちの有効表示期間ＶACにおいて、１フレーム期間Ｖよりも短い期間Ｔｈ１，Ｔｈ２単位で電圧駆動を行うことができる。フレーム周波数（フレームレート）を上げることなく、任意のタイミングおよびパルス幅で（所望の電圧波形パターンを用いて）各画素に電圧を印加することが可能となる。換言すると、見かけ上、フレーム周波数が大きくなり、より極め細やかな電圧駆動を行うことができる。よって、消費電力の増大を抑制しつつ、表示品位を向上させることが可能となる。
【００８４】
例えば、一般的な数十ｍｓのフレーム単位の電圧駆動でなく、１フレーム期間Ｖよりも短い、数ｍｓの期間単位での電圧駆動が可能となる。このパルスの時間幅は自由に可変することができる。
【００８５】
また、正電圧と負電圧を交互に複数回印加するような駆動を行う場合には、１フレーム期間Ｖ未満の期間単位で電圧印加を可能にする事で、ちらつき（フリッカ）の発生を抑制することができる。
【００８６】
次に、上記第１の実施の形態の変形例について説明する。以下では、上記第１の実施の形態と同様の構成要素については同一の符号を付し、適宜説明を省略する。
【００８７】
＜変形例１＞
図１１は、変形例１に係る表示装置の駆動動作（走査線分割駆動動作）を説明するためのタイミング図である。上記第１の実施の形態では、全走査線ＧＬの分割数ｎを２とし、２つの走査線群ＧＬgrp１，ＧＬgrp２のそれぞれにおいて線順次駆動を行う例を示したが、分割数ｎは２に限定されず、３以上であってもよい。本変形例では、ｎ＝４の場合の  一例を示す。
【００８８】
本変形例においても、上記第１の実施の形態と同様、全走査線数（有効走査線数）は７２０本としている。また、Ｓｉｇ（ｋ）は、第ｋライン（第ｋ列）の信号線ＤＬに印加される電圧波形（映像信号パルス）を、Ｇ（１），…，Ｇ（７２０）は、第１ラインから第７２０ラインの走査線ＧＬに印加される電圧波形（走査信号パルス）を、それぞれ示している。また、Ｐｉｘ（１），…，Ｐｉｘ（７２０）は、第ｋラインの信号線ＤＬと、第１ラインから第７２０ラインの走査線ＧＬとの各交点に配置された画素１０に保持される電圧を表している。簡便化のため、１フレーム期間Ｖとしては、上述の有効表示期間ＶACのみを示している。
【００８９】
但し、本変形例では、全走査線ＧＬの４分割により、計４つの走査線群ＧＬgrp１，ＧＬgrp２，ＧＬgrp３，ＧＬgrp４に対して、それぞれ線順次駆動が行われる。走査線群ＧＬgrp１，ＧＬgrp２，ＧＬgrp３，ＧＬgrp４のそれぞれは、計１８０（７２０／４＝１８０）ライン分の走査線ＧＬから構成される。各走査線群ＧＬgrp１，ＧＬgrp２，ＧＬgrp３，ＧＬgrp４の先頭ライン（第１ライン、第１８１ライン、第３６１ラインおよび第５４１ライン）の走査線ＧＬには、走査開始信号（Ｇst１，Ｇst１８１，Ｇst３６１，Ｇst５４１）を同期して印加することが可能となっている。
【００９０】
上記第１の実施の形態と同様にして、走査線群ＧＬgrp１では、第１ラインから第１８０ラインまでの計１８０ラインの走査線ＧＬが順次走査される。同様に、走査線群ＧＬgrp２では、第１８１ラインから第３６０ラインまでの計１８０ラインの走査線ＧＬが順次走査される。同様に、走査線群ＧＬgrp３では、第３６１ラインから第５４０ラインまでの計１８０ラインの走査線ＧＬが順次走査される。同様に、走査線群ＧＬgrp４では、第５４１ラインから第７２０ラインまでの計１８０ラインの走査線ＧＬが順次走査される。つまり、走査線群ＧＬgrp毎の線順次駆動により、全走査線ＧＬを走査するために要する期間は、１フレーム期間Ｖ（期間Ｔｈ）の１／４の期間（Ｔｈ１〜Ｔｈ４）となる。このため、５０Ｈｚのフレーム周波数での駆動の場合、５ｍｓ（２０／４＝５）の期間（期間Ｔｈ１〜Ｔｈ４）単位での電圧駆動が可能となる。
【００９１】
信号線駆動回路１２０は、期間Ｔｈ１〜Ｔｈ４の少なくとも１つの期間（例えば期間Ｔｈ１）において表示用の信号電圧（Ｖsig）を印加し、他の任意の期間には、例えば後述する補正用の電圧（Ｖcrt）を印加することができる。
【００９２】
このように、本変形例においても、１フレーム期間Ｖよりも短い期間（期間Ｔｈ１〜Ｔｈ４）単位で、各画素１０に電圧を印加することが可能となる。よって、上記第１の実施の形態と同等の効果を得ることができる。また、分割数ｎを増やす（走査線群ＧＬgrpの数を増やす）ことで、より極め細やかなタイミングでの電圧制御が可能となり、表示品位を向上させるための駆動を実現し易い。
【００９３】
＜変形例２＞
図１２は、変形例２に係る表示装置の要部構成を表したものである。上記第１の実施の形態では、１つの走査線駆動回路１１０が、全走査線ＧＬのうちの２以上の指定したラインの走査線ＧＬに対し、走査開始信号（ゲートスタートパルス）を印加できる回路機能（ＩＣ）を含み、これにより走査線群ＧＬgrp毎の線順次駆動を行う場合について説明した。しかしながら、このような構成に限定されず、例えば、本変形例のように、複数（ここでは２つ）の走査線駆動回路１１０Ａ，１１０Ｂを設け、これらの走査線駆動回路１１０Ａ，１１０Ｂがそれぞれ、走査線群ＧＬgrpに接続されていてもよい。
【００９４】
具体的には、走査線駆動回路１１０Ａは、走査線群ＧＬgrp１に、走査線駆動回路１１０Ｂは、走査線群ＧＬgrp２にそれぞれ接続されている。画素部１Ａのうちの領域Ａ１が、走査線群ＧＬgrp１を用いて駆動され、領域Ａ２が、走査線群ＧＬgrp２を用いて駆動される。
【００９５】
このような構成の場合にも、走査線群ＧＬgrp毎の線順次駆動動作が可能であり、上記第１の実施の形態と同等の効果を得ることができる。
【００９６】
＜第２の実施の形態＞
図１３は、本開示の第２の実施形態の表示装置の駆動動作を説明するためのタイミング図である。本実施の形態の表示装置は、上記第１の実施の形態の表示装置１と同様、電気泳動現象を利用して画像を表示する電気泳動型の表示装置であり、いわゆる電子ペーパーディスプレイである。また、例えばＴＦＴを用いたアクティブマトリクス駆動方式によって表示駆動される複数の画素１０（画素部１Ａ）を有している。これらの複数の画素１０は、表示体１０Ａ（電気泳動素子）を含み、表示体１０Ａの光反射率を画素１０毎に変化させることで、文字や画像の表示を行うようになっている。画素部１Ａは、走査線駆動回路１１０および信号線駆動回路１２０に接続されている。画素部１Ａには、走査線駆動回路１１０の出力端と各画素１０とを接続すると共に行方向に沿って延在する複数の走査線ＧＬと、信号線駆動回路１２０の出力端と各画素１０とを接続すると共に列方向に沿って延在する複数の信号線ＤＬとが配置されている。これらの複数の走査線ＧＬと複数の信号線ＤＬとの各交点に、画素１０が形成されている。
【００９７】
図１３では、一部のフレーム期間Ｖにおいて、表示用の電圧に加え、他の電圧（例えば、補正用の電圧）を印加する例を示している。この例においても、Ｓｉｇ（ｋ）は、第ｋライン（第ｋ列）の信号線ＤＬに印加される電圧波形（映像信号パルス）を、Ｇ（１），Ｇ（２）は、第１ラインおよび第２ラインの走査線ＧＬに印加される電圧波形（走査信号パルス）を、それぞれ示している。また、Ｐｉｘ１（ｋ）は、第ｋラインの信号線ＤＬと、第１ラインの走査線ＧＬとの交点に配置された画素１０に印加される電圧波形を表している。簡便化のため、１フレーム期間Ｖとしては、上述の有効表示期間ＶACのみを示している。
【００９８】
本実施の形態では、走査線駆動回路１１０が、走査信号パルスにおけるオン期間ｂ１のうちの一部に相当する第１のオン期間ｂ１１を例えば表示用に割り当てて、各画素１０を駆動するようになっている。走査線駆動回路１１０は、また、オン期間ｂ１のうちの第１のオン期間ｂ１１とは異なる第２のオン期間ｂ１２を例えば補正用に割り当てて各画素１０を駆動するようになっている。第１のオン期間ｂ１１は、オン期間ｂ１のうちの前半部分に相当し、第２のオン期間ｂ１２は、オン期間ｂ１のうちの後半部分に相当する。換言すると、第１のオン期間ｂ１１は、オン期間ｂ１のうちの前半の位相を用いたものであり、第２のオン期間ｂ１２は、オン期間ｂ１のうちの後半の位相を用いたものである。但し、オン期間ｂ１は、３以上の期間に分割されていてもよいし、分割された各期間の長さ（分割比）が異なっていてもよい。
【００９９】
信号線駆動回路１２０は、各画素１０に対し、第１のオン期間ｂ１１には、例えば表示用の信号電圧（Ｖsig）を印加すると共に、第２のオン期間ｂ１２には、例えば補正用の電圧（Ｖcrt）を印加するようになっている。このように、信号線駆動回路１２０は、第１のオン期間ｂ１１および第２のオン期間ｂ１２にそれぞれ対応した電圧を印加可能な電圧波形Ｓ３１を有している。補正用の電圧Ｖcrtは、任意の電圧とすることができるが、例えば、表示用の電圧Ｖsigとは逆極性の電圧とされる。
【０１００】
（駆動方法）
まず、図１４を参照して、一般的な駆動動作について説明する。図１４は、本実施の形態の比較例に係る駆動動作を説明するタイミング図である。この比較例では、第１ラインの走査線ＧＬに印加される走査信号パルスＧ（１）では、１フレーム期間Ｖの中で１度だけHighレベルになり（オン電位となり）、それ以外はLowレベルとなっている（オフ電位となっている）。オン電位となる期間（オン期間ｂ１）に画素１０内のＴＦＴが導通し、そのときに信号線ＤＬに印加されている信号電圧が各画素１０へと伝達される（Ｐｉｘ１（ｋ））。この例では、黒表示のための信号電圧(図１４の黒色の部分に相当)が、各画素１０に印加される。この印加電圧によって電気泳動素子は光学変化を起こし、図１４の最下段に示したような光学応答を示す。ここでは、黒表示信号が入ったことで光学応答レベルが低下する様子を表している。一方、第２，第３，第４ラインの走査線ＧＬに印加される走査信号パルスにおけるオン期間ｂ１では、黒表示から白表示へ移行するための信号(図１４の白色に近い部分に相当)が各画素１０に印加され、電気泳動素子の光学応答レベルは上昇している。
【０１０１】
電気泳動表示素子の光学応答においては、一定電圧を長時間印加するのに比べ、途中に反転した電圧を数回加えることで、応答速度を向上させる、あるいは、より極限に近い光学状態へ遷移し易くなる、等のメリットがある。しかしながら、ＴＦＴを用いた電圧駆動では、上述のように、フレーム周波数によって規定される１フレーム期間Ｖが、電圧印加の単位期間となる。上述したように、フレーム周波数を大きくする（フレームレートを高くする）ことで、１フレーム期間Ｖを短縮することが可能であるが、フレーム周波数を大きくする設計変更は、例えば走査線駆動回路１１０に用いられる論理回路においてクロック周波数の変更を伴う。これは、消費電力の増大につながる。
【０１０２】
そこで、本実施の形態では、図１３に示したように、走査線駆動回路１１０が、通常のオン期間ｂ１の約半分（前半）の第１のオン期間ｂ１１において、各画素１０に信号電圧Ｖsigを印加する。このようにパルス幅は短くなるものの、その時間で十分にトランジスタを動作させることができれば、上記比較例の場合と同じく黒表示のための信号電圧Ｖsigが画素１０に印加される。図１３においても、比較例と同様、黒表示信号の書き込みにより光学応答レベルが低下している。また、第２，第３，第４ラインの走査線ＧＬに印加される走査信号パルスにおける第１のオン期間ｂ１１では、黒表示から白表示へ移行するための信号が各画素１０に印加され、電気泳動素子の光学応答レベルは上昇している。
【０１０３】
このように、画素部１Ａに接続する走査線ＧＬを複雑にすることなく、光学特性を向上させることを可能とする。
【０１０４】
一方、ある選択的なフレーム期間Ｖでは、走査信号パルスＧ（１）において、時間ｔ３１から時間ｔ３２までの期間（第１のオン期間ｂ１１）にオン電位が印加された後、任意のタイミングにおいて（時間ｔ３３から時間ｔ３４までの期間に）、パルス（パルスＳ３２ａ）が追加されている（オン電位が印加されている）。このパルスＳ３２ａは、オン期間ｂ１のうちの第２のオン期間ｂ１２を用いて印加される。このように、表示用の第１のオン期間ｂ１１とは位相が半分ずれたパルスＳ３２ａが印加されることによって、１フレーム期間Ｖの途中で（任意のタイミングで）、画素１０への書き込みを追加で行うことができる。この例では、黒表示信号と同等の電圧Ｖcrtが信号線ＤＬに印加されているため、時間ｔ３３から、光学応答レベルＬ３１が低下する（Ｌ３１ａ）。尚、次のフレーム期間の開始される時間ｔ３５以降は、第１のオン期間ｂ１１において白表示信号が画素１０に印加され、光学レベルは再び上昇する(表示が白くなる)。
【０１０５】
このように、本実施の形態では、走査信号パルスにおけるオン期間ｂ１を分割して用いることで、１フレーム期間Ｖのうちの任意のタイミングでパルスＳ３２ａを追加することができる。パルスＳ３２ａによって表示用の電圧Ｖsigとは逆極性の電圧Ｖcrtを印加する等の駆動を行うことができ、光学特性を改善することが可能となる。
【０１０６】
このパルスＳ３２ａの走査期間（単位期間）は、第２のオン期間ｂ１２の開始時点（時間ｔ３３）から、次の第１のオン期間ｂ１１の開始時点（ｔ３５）までの期間Ｔｈ５（ｔ３５−ｔ３３）に相当する。即ち、１フレーム期間Ｖよりも短い期間単位で電圧（電圧Ｖcrt）を印加することができる。このパルスＳ３２ａの走査期間（期間Ｔｈ５）は、走査線駆動回路１１０に印加する信号によって自由に調整することができる。パルスＳ３２ａは、走査信号パルスにおける１つのオン期間ｂ１に挿入することが可能なため、例えば全走査線本数が７２０本の場合には約２７μs（２０ｍｓ／７２０)が、パルスＳ３２ａの走査期間（期間Ｔｈ５）の最小範囲となる。
【０１０７】
したがって、本実施の形態では、１フレーム期間Ｖ（例えば２０ｍｓ）単位でしか印加することが困難であった補正用パルスを、任意のタイミングおよびパルス幅（例えば５ｍｓ）で印加することが可能となる。また図１３では、パルスＳ３２ａの印加回数を１回としているが、光学特性を向上させるために複数回印加してもよい。
【０１０８】
なお、一般的な走査線駆動回路では、先頭ラインの走査線ＧＬに入力される走査開始信号（Ｇst）に基づいて、自動的に第２ライン以降の走査線ＧＬへ走査信号パルスを順次出力することができる。このため、図１３の走査信号パルスＧ（１）を出力するために用意した走査開始信号をＩＣに入力すれば、第２ライン以降の走査線ＧＬについても、同様にパルスＳ３２ａを印加することができる。すなわち、画素部１Ａに接続される配線状況を変更することなく、走査線駆動回路１１０へ入力する信号波形を変更するだけで、任意のタイミングおよびパルス幅で、パルスＳ３２ａを挿入することが可能となる。一方、信号線駆動回路１２０については、通常の２倍の速度で出力信号を切り換えることから、高速動作性能が要求されるが、これは通常のディスプレイに用いられる一般的な半導体製造技術を採用することで容易に実現が可能である。
【０１０９】
以上のように本実施の形態においても、電気泳動素子を含む各画素１０を電圧駆動する際に、１フレーム期間Ｖのうちの有効表示期間ＶACにおいて、１フレーム期間Ｖよりも短い期間（期間Ｔｈ５）単位で電圧駆動を行うことができる。フレーム周波数（フレームレート）を上げることなく、任意のタイミングおよびパルス幅で（所望の電圧波形パターンを用いて）各画素に電圧を印加することが可能となる。換言すると、見かけ上、フレーム周波数が大きくなり、より極め細やかな電圧駆動を行うことができる。よって、上記第１の実施の形態と同等の効果を得ることができる。
【０１１０】
（実施例：光学応答特性を高めるための補正駆動）
上記実施の形態および変形例において説明した表示装置およびその駆動方法では、１フレーム期間Ｖよりも短い期間単位での電圧駆動を実現することにより、表示用の電圧とは異なる電圧（例えば、補正（調整）用の電圧Ｖcrt）を印加することができる。以下に、この電圧Ｖcrtを用いた補正駆動の一例について説明する。
【０１１１】
上述のように、電気泳動型の表示装置では、印加電圧に応じて画素１０毎に光反射率を変化させ、これを利用して白表示，黒表示あるいは階調表示がなされる。このような表示装置では、視認性を高めるために、特に白表示時における光反射率が高いことが望まれている。
【０１１２】
ここで、図１５Ａに、黒表示から白表示へ切り替える際の印加電圧波形の一例を示す。また、図１５Ｂには、図１５Ａに示した電圧波形を印加した場合の表示体１０Ａの光学応答特性について示す。前述のように、表示体１０Ａの光学応答特性では、複数フレームにわたって（時系列で）徐々に光反射率が変化する。例えば、図１５Ａおよび図１５Ｂに示したように、正極性電圧を一定時間（例えば４００ｍｓ）連続して印加することで、所望の反射率（ここでは１とする）に達する。
【０１１３】
このような書き込み期間の途中において、白表示状態へ移行させるための電圧（ここでは正極性電圧）とは逆極性の電圧または０Ｖ（ここでは負極性電圧）を印加することにより、結果として白表示時における光反射率を高めることができる。図１６Ａおよび図１６Ｂにその一例を示す。図１６Ａは、黒表示から白表示へ切り替える際の印加電圧波形の一例である。この例では、正極性電圧を印加し始めてから約１００ｍｓ経過後の１フレーム期間Ｖに、逆極性電圧として、補正用の電圧Ｖcrtを印加している。電圧Ｖcrtを印加した後は、再び正極性電圧を印加し続ける。図１６Ｂは、図１６Ａに示した電圧波形に応じた表示体１０Ａの光学応答特性について示したものである。このように、逆極性電圧を途中で印加した場合、それにより瞬間的に光反射率が低下するものの、その後は再び光反射率が上昇する。このときの光反射率の上昇率は、正極性電圧のみを印加し続けた場合（図１５Ｂ）と比べ、大きくなる。この結果、正極性電圧のみを印加した場合よりも早いタイミングで（この例では、２００ｍｓ程度経過後に）所望の反射率（１）に達し易くなる。このように、白表示または白表示への切り替えの際に、逆極性の電圧Ｖcrtを印加することで、光反射率を高めることが可能である。
【０１１４】
ところが、白表示の途中において逆極性電圧を印加した場合、結果的に光反射率は高くなるものの、１フレーム期間Ｖ（例えば２０ｍｓ）にわたって逆極性電圧を印加することから、白表示の途中で一時的に黒表示へ推移し（瞬間的に光反射率が低下し）、その後再び白表示に戻る。このような現象は、画像のちらつきとして視認される（画像にちらつきが生じる）。これは、表示品位の低下につながる。
【０１１５】
上記のような補正用の電圧Ｖcrtを印加する期間は、１フレーム期間Ｖよりも短い期間であることが望ましい。上記第１実施の形態で説明した走査線群ＧＬgrp毎の線順次駆動、または上記第２の実施の形態で説明した追加のパルスＳ３２ａを用いた駆動により、１フレーム期間Ｖ以下の期間単位で電圧駆動が可能である。このため、例えば図１７Ａに示したように、より極め細やかなタイミングで電圧Ｖcrtを印加して補正を行うことができる。これにより、図１７Ｂに示したように、光反射率を早いタイミングで上昇させつつ、画像のちらつきを視認されにくくすることができる。
【０１１６】
尚、補正用の電圧Ｖcrtの印加タイミングは、１フレーム期間Ｖ（有効表示期間ＶAC）内で特に限定されない。また、電圧Ｖcrtは、１フレーム期間Ｖ内において、１回だけ印加されてもよいし、複数回にわたって印加されてもよい。また、１フレーム期間Ｖ未満の電圧駆動では、正電圧および負電圧の繰り返し駆動に限らず、階調制御や混色調整を目的として電圧Ｖcrtを印加してもよい。
【０１１７】
＜適用例＞
次に、上述の実施の形態および変形例において説明した表示装置の適用例について説明する。ただし、以下で説明する電子機器の構成はあくまで一例であり、その構成は適宜変更可能である。
【０１１８】
図１８Ａおよび図１８Ｂは、適用例に係る電子ブック（電子ブック３）の外観構成を表している。この電子ブック３は、例えば、表示部８１０および非表示部（筐体）８２０と、操作部８３０とを備えている。なお、操作部８３０は、図１８Ａに示したように非表示部８２０の前面に設けられていてもよいし、図１８Ｂに示したように上面に設けられていてもよい。
【０１１９】
上記の表示装置１は、いわゆるウェアラブル端末として、例えば時計（腕時計）、鞄、衣服、帽子、眼鏡および靴等の服飾品の一部に適用することも可能である。以下に、そのような服飾品一体型の電子機器の一例を示す。
【０１２０】
図１９Ａおよび図１９Ｂは、電子時計（腕時計一体型電子機器）の外観を表したものである。この電子時計は、例えば文字盤（文字情報表示部分）４１０とバンド部（色柄表示部分）４２０とを有しており、これらの文字盤４１０とバンド部４２０とが上記表示装置１を含んで構成されている。文字盤４１０には、上述の電気泳動素子を用いた表示駆動により、図１９Ａおよび図１９Ｂのように、例えば様々な文字や図柄が表示される。バンド部４２０は、例えば腕などに装着可能な部位である。このバンド部４２０に表示装置１が用いられることで、様々な色柄を表示することができ、図１９Ａの例から図１９Ｂの例のように、バンド部４２０の意匠を変更することができる。ファッション用途においても有用な電子デバイスを実現可能となる。
【０１２１】
以上、実施形態および変形例を挙げて説明したが、本開示は上記実施形態等で説明した態様に限定されず、種々の変形が可能である。例えば、上記実施の形態等では、本開示の第２の電圧として、第１の電圧と逆極性の電圧または０Ｖを印加する場合を例に挙げて説明したが、第２の電圧は、必ずしも逆極性電圧でなくてもよく、第１の電圧と異なる電圧であればよい。例えば、第２の電圧は、０Ｖであってもよい。あるいは、第１の電圧が黒表示から白表示に移行させるための正極性の電圧である場合には、第２の電圧は、第１の電圧未満の電圧であればよい。但し、上記実施の形態のように、第２の電圧として第１の電圧の逆極性の電圧を印加することで、効果的に反射率を向上させることができる。尚、上記実施の形態等において説明した効果は一例であり、本開示の効果は、他の効果であってもよいし、更に他の効果を含んでいてもよい。
【０１２２】
尚、本開示内容は以下のような構成であってもよい。
（１）
各々が電気泳動素子を含む複数の画素を有する画素部と、
前記画素部を前記画素毎に電圧駆動する駆動部と
を備え、
前記駆動部は、１フレーム期間のうちの有効表示期間において、１フレーム期間よりも短い期間単位で前記電圧駆動を行う
ように構成された
表示装置。
（２）
前記駆動部は、
各画素に接続された走査線駆動回路および信号線駆動回路を有し、
前記走査線駆動回路の出力端と各画素とを接続する複数の走査線をｎ（ｎは２以上の整数）分割してなる複数の走査線群のそれぞれにおいて線順次駆動を行う
上記（１）に記載の表示装置。
（３）
前記走査線駆動回路は、前記複数の走査線群のそれぞれの先頭ラインの走査線に対し、走査開始信号を供給する
上記（２）に記載の表示装置。
（４）
前記走査線駆動回路は、前記走査線群毎に前記走査開始信号を供給する回路を有する
上記（３）に記載の表示装置。
（５）
前記走査線駆動回路を複数備え、
前記複数の走査線駆動回路はそれぞれ前記走査線群に接続されている
上記（３）に記載の表示装置。
（６）
前記駆動部は、
複数のフレーム期間にわたって各画素に信号電圧を印加する場合に、
前記複数のフレーム期間のうちの第１のフレーム期間では、全走査線のうちの第１ラインの走査線から最終ラインの走査線までを順次駆動し、
前記複数のフレーム期間のうちの第２のフレーム期間では、前記走査線群毎の線順次駆動を行う
上記（２）ないし（５）のいずれか１つに記載の表示装置。
（７）
前記駆動部は、１フレーム期間のうちの第１の単位期間に表示用の信号電圧を印加すると共に、前記第１の単位期間とは異なる第２の単位期間に補正用の電圧を印加して、前記画素を駆動する
上記（１）ないし（６）のいずれか１つに記載の表示装置。
（８）
前記駆動部は、
各画素の線順次駆動を行うための走査線駆動回路および信号線駆動回路を有し、
前記走査線駆動回路は、走査信号パルスにおけるオン期間のうちの一部に相当する第１のオン期間を表示用に割り当てて前記画素を駆動する
上記（１）ないし（７）のいずれか１つに記載の表示装置。
（９）
前記走査線駆動回路は、更に、前記オン期間のうちの前記第１のオン期間とは異なる第２のオン期間を補正用に割り当てて前記画素を駆動し、かつ
前記信号線駆動回路は、各画素に対し、前記第１のオン期間には表示用の信号電圧を印加すると共に、前記第２のオン期間には補正用の電圧を印加する
上記（８）に記載の表示装置。
（１０）
前記第１のオン期間は、前記オン期間のうちの前半部分に相当し、
前記第２のオン期間は、前記オン期間のうちの後半部分に相当する
上記（９）に記載の表示装置。
（１１）
前記駆動部は、
前記複数の画素のそれぞれを複数の走査線を用いて線順次で駆動し、
各画素に対し、１フレーム期間内に１または複数回にわたって走査信号を供給する
上記（１）ないし（１０）のいずれか１つに記載の表示装置。
（１２）
各々が電気泳動素子を含む複数の画素を、前記画素毎に電圧駆動する際に、
１フレーム期間のうちの有効表示期間において、１フレーム期間よりも短い期間単位で前記電圧駆動を行う
駆動方法。
（１３）
前記複数の画素のそれぞれを複数の走査線を用いて線順次で駆動し、
前記複数の走査線をｎ（ｎは２以上の整数）分割してなる複数の走査線群のそれぞれにおいて線順次駆動を行う
上記（１２）に記載の駆動方法。
（１４）
前記複数の走査線群のそれぞれの先頭ラインの走査線に対し、走査開始信号を供給する
上記（１３）に記載の駆動方法。
（１５）
複数のフレーム期間にわたって各画素に信号電圧を印加する場合に、
前記複数のフレーム期間のうちの第１のフレーム期間では、全走査線のうちの第１ラインの走査線から最終ラインの走査線までを順次駆動し、
前記複数のフレーム期間のうちの第２のフレーム期間では、前記走査線群毎の線順次駆動を行う
上記（１２）ないし（１４）のいずれか１つに記載の駆動方法。
（１６）
１フレーム期間のうちの第１の単位期間に表示用の信号電圧を印加すると共に、前記第１の単位期間とは異なる第２の単位期間に補正用の電圧を印加して、前記画素を駆動する
上記（１２）ないし（１５）のいずれか１つに記載の駆動方法。
（１７）
前記複数の画素のそれぞれを複数の走査線を用いて線順次で駆動し、
走査信号パルスにおけるオン期間のうちの一部に相当する第１のオン期間を表示用に割り当てて前記画素を駆動する
上記（１２）に記載の駆動方法。
（１８）
更に、前記オン期間のうちの前記第１のオン期間とは異なる第２のオン期間を補正用に割り当てて前記画素を駆動し、かつ
各画素に対し、前記第１のオン期間には表示用の信号電圧を印加すると共に、前記第２のオン期間には補正用の電圧を印加する
上記（１７）に記載の駆動方法。
（１９）
前記第１のオン期間は、前記オン期間のうちの前半部分に相当し、
前記第２のオン期間は、前記オン期間のうちの後半部分に相当する
上記（１８）に記載の駆動方法。
（２０）
各々が電気泳動素子を含む複数の画素を有する画素部と、
前記画素部を前記画素毎に電圧駆動する駆動部と
を備え、
前記駆動部は、１フレーム期間のうちの有効表示期間において、１フレーム期間よりも短い期間単位で前記電圧駆動を行う
ように構成された
表示装置を備えた電子機器。
【符号の説明】
【０１２３】
１…表示装置、２…駆動装置、１Ａ…画素部、１０…画素、１０Ａ…表示体、１１…第１基板、１２…ＴＦＴ層、１３…第１電極、１４…封止層、１５…絶縁性液体、１６…多孔質層、１７…泳動粒子、１８…隔壁、１９…第２電極、２０…第２基板、１１０…走査線駆動回路、１２０…信号線駆動回路。
【図１】
2017198877.tif 000003
【図２】
2017198877.tif 000004
【図３】
2017198877.tif 000005
【図４】
2017198877.tif 000006
【図５Ａ】
2017198877.tif 000007
【図５Ｂ】
2017198877.tif 000008
【図６】
2017198877.tif 000009
【図７Ａ】
2017198877.tif 000010
【図７Ｂ】
2017198877.tif 000011
【図７Ｃ】
2017198877.tif 000012
【図７Ｄ】
2017198877.tif 000013
【図８Ａ】
2017198877.tif 000014
【図８Ｂ】
2017198877.tif 000015
【図９】
2017198877.tif 000016
【図１０】
2017198877.tif 000017
【図１１】
2017198877.tif 000018
【図１２】
2017198877.tif 000019
【図１３】
2017198877.tif 000020
【図１４】
2017198877.tif 000021
【図１５Ａ】
2017198877.tif 000022
【図１５Ｂ】
2017198877.tif 000023
【図１６Ａ】
2017198877.tif 000024
【図１６Ｂ】
2017198877.tif 000025
【図１７Ａ】
2017198877.tif 000026
【図１７Ｂ】
2017198877.tif 000027
【図１８Ａ】
2017198877.tif 000028
【図１８Ｂ】
2017198877.tif 000029
【図１９Ａ】
2017198877.tif 000030
【図１９Ｂ】
2017198877.tif 000031